(57)【要約】【課題】装置の剛性を高める。【解決手段】パーソナルコンピュータ１１の本体２１は、本体２１の上面を構成するパームレスト２５と、本体２１の上面と表裏の関係にある本体２１の底面を構成するボトム４１と、ボトム４１に収容されることで本体２１の底面の一部をなし、電力を供給するバッテリセルを含むように構成されるバッテリユニット４２とを備え、パームレスト２５、ボトム４１、およびバッテリユニット４２は、ビス４３によって共締めされる。本技術は、例えば、ノート型パーソナルコンピュータに適用することができる。【選択図】図４
2012160523.tif 000002
【特許請求の範囲】
【請求項１】
第１の外装面を構成する第１の外装部材と、
前記第１の外装面と表裏の関係にある第２の外装面を構成する第２の外装部材と、
前記第２の外装部材に収容されることで前記第２の外装面の一部をなし、電力を供給するバッテリセルと一体で構成されるバッテリユニットと
を備え、
前記第１の外装部材、前記第２の外装部材、および前記バッテリユニットは、ねじ部材によって共締めされる
電子機器。
【請求項２】
前記バッテリユニットは、前記第２の外装部材の長手方向と、前記バッテリユニットの長手方向とが平行になるように、前記第２の外装部材に収容される
請求項１に記載の電子機器。
【請求項３】
前記ねじ部材は、前記バッテリユニットの前記第２の外装面側から挿入されて、前記第１の外装部材、前記第２の外装部材、および前記バッテリユニットを共締めする
請求項１に記載の電子機器。
【請求項４】
前記ねじ部材は、その頭部が弾性部材で構成され、前記頭部の少なくとも一部が前記第２の外装面から突出するように、前記第１の外装部材、前記第２の外装部材、および前記バッテリユニットを共締めする
請求項３に記載の電子機器。
【請求項５】
前記頭部において前記第２の外装面と平行な面上には、前記ねじ部材の回転軸を通る切り欠きが設けられている
請求項４に記載の電子機器。
【発明の詳細な説明】
【技術分野】
【０００１】
本技術は、電子機器に関し、特に、剛性を高めることができるようにする電子機器に関する。
【背景技術】
【０００２】
近年、ノート型のパーソナルコンピュータ等の持ち運び可能な電子機器が普及している中で、その電子機器の携帯性を高めるために、装置の薄型化が図られている。
【０００３】
例えば、ノート型のパーソナルコンピュータにおいて、本体部の内蔵部品の配置やキーボードの構造を工夫することによって薄型化を図ることが提案されている（例えば、特許文献１）。
【先行技術文献】
【特許文献】
【０００４】
【特許文献１】特開２０１０−１４０５１０号公報
【発明の概要】
【発明が解決しようとする課題】
【０００５】
ところで、装置の薄型化を図る場合には、外力に対する剛性を考慮する必要がある。しかしながら、特許文献１の構造では、扁平箱状のケースにキーボードを構成する入力キーが収容されることで、キー操作による衝撃に対するキーボード部分の剛性を高めることはできるが、装置全体の剛性を高めることについては考慮されていない。
【０００６】
本技術は、このような状況に鑑みてなされたものであり、剛性を高めることができるようにするものである。
【課題を解決するための手段】
【０００７】
本技術の一側面の電子機器は、第１の外装面を構成する第１の外装部材と、前記第１の外装面と表裏の関係にある第２の外装面を構成する第２の外装部材と、前記第２の外装部材に収容されることで前記第２の外装面の一部をなし、電力を供給するバッテリセルと一体で構成されるバッテリユニットとを備え、前記第１の外装部材、前記第２の外装部材、および前記バッテリユニットは、ねじ部材によって共締めされる。
【０００８】
前記バッテリユニットは、前記第２の外装部材の長手方向と、前記バッテリユニットの長手方向とが平行になるように、前記第２の外装部材に収容されるようにすることができる。
【０００９】
前記ねじ部材は、前記バッテリユニットの前記第２の外装面側から挿入されて、前記第１の外装部材、前記第２の外装部材、および前記バッテリユニットを共締めするようにすることができる。
【００１０】
前記ねじ部材は、その頭部が弾性部材で構成され、前記頭部の少なくとも一部が前記第２の外装面から突出するように、前記第１の外装部材、前記第２の外装部材、および前記バッテリユニットを共締めするようにすることができる。
【００１１】
前記頭部において前記第２の外装面と平行な面上には、前記ねじ部材の回転軸を通る切り欠きが設けられるようにすることができる。
【００１２】
本技術の一側面においては、第１の外装面を構成する第１の外装部材、第１の外装面と表裏の関係にある第２の外装面を構成する第２の外装部材、第２の外装部材に収容されることで第２の外装面の一部をなし、電力を供給するバッテリセルと一体で構成されるバッテリユニットは、ねじ部材によって共締めされる。
【発明の効果】
【００１３】
本技術の一側面によれば、剛性を高めることが可能となる。
【図面の簡単な説明】
【００１４】
【図１】本技術を適用したノート型パーソナルコンピュータの斜視図である。
【図２】ノート型パーソナルコンピュータの蓋体と本体を閉じた状態の正面図である。
【図３】ノート型パーソナルコンピュータの本体の下面図である。
【図４】ノート型パーソナルコンピュータの本体の正面断面図である。
【図５】ノート型パーソナルコンピュータに用いられるビスの斜視図である。
【図６】ノート型パーソナルコンピュータに用いられるビスの断面図である。
【発明を実施するための形態】
【００１５】
以下、本技術の実施の形態について図を参照して説明する。
【００１６】
［ノート型パーソナルコンピュータの構成］
図１乃至図３は、本技術を適用した電子機器としてのノート型パーソナルコンピュータの一実施の形態の構成を示す図である。図１は、ノート型パーソナルコンピュータ１１（以下、単に、パーソナルコンピュータ１１という）の斜視図であり、図２は、パーソナルコンピュータ１１の本体に対して蓋体を閉じた状態での正面図である。また、図３は、パーソナルコンピュータ１１の本体２１の底面図である。
【００１７】
パーソナルコンピュータ１１は、本体２１と、本体２１に対して図１の矢印Ａで示されるように開閉自在に取付けられた蓋体２２とから構成される。パーソナルコンピュータ１１においては、蓋体２２は、左右方向（矢印Ｂ方向（左）および矢印Ｃ方向（右））に設定された軸線を中心として回動自在なヒンジ部を介して、本体２１の矢印Ｄ方向の端部に連結されている。
【００１８】
このような構造により、パーソナルコンピュータ１１は、蓋体２２を本体２１に対してに回動させることによって、蓋体２２が起立された開状態（図１）と、蓋体２２が本体２１に重なり合う閉状態（図２）とを選択的にとるようになされている。
【００１９】
なお、図１乃至図３において示される、矢印Ｂ乃至矢印Ｄの指し示す方向は、それぞれ対応しているものとする。
【００２０】
蓋体２２には、文字や画像等を表示するための表示部としての、平面状のLCD（Liquid Crystal Display）２３が設けられている。
【００２１】
本体２１の上面には、ユーザがパーソナルコンピュータ１１に対して操作入力を行うための操作部の１つであるキーボード２４が配設されている。キーボード２４は、アルファベットキーやテンキー、各種機能キー等の多数のキーからなり、全体的に左右方向に細長く、かつ、本体２１の上面のうち奥側（矢印Ｄ方向側）に位置するように配設されている。また、本体２１の上面のうちキーボード２４よりも手前側（矢印Ｄ方向と反対側）は、パームレスト２５を形成している。すなわち、パームレスト２５は、本体２１の上面側の外装面の一部を構成している。
【００２２】
また、パームレスト２５には、操作部としてのタッチパッド２６、左クリックボタン２７、および右クリックボタン２８が配設されている。タッチパッド２６は、その形状が略正方形であり、パームレスト２５において、本体２１の左右方向略中央で、かつ、キーボード２４に近い位置に配設されている。左右のクリックボタン２７，２８は、パームレスト２５において、本体２１の左右方向略中央で、かつ、タッチパッド２６の手前側で本体２１の左右方向に互いに隣接するように配設されている。なお、タッチパッド２６は、既知のように、いわゆるポインティングデバイスの一種である。
【００２３】
本体２１の底面側は、ボトム４１により構成される。すなわち、図２に示されるように、ボトム４１は、パームレスト２５により構成される外装面（上面）と表裏の関係にある外装面（底面）を構成する。ボトム４１は、扁平箱状の形状を有しており、その内部には、電子部品が実装された基板等の内蔵部品が配設されている。
【００２４】
また、図３に示されるように、本体２１の底面においては、パーソナルコンピュータ１１に電力を供給するバッテリセルを含むように構成されるバッテリユニット４２が、ボトム４１に収容されている。
【００２５】
ボトム４１は、本体２１の上面におけるパームレスト２５に対応する位置に、バッテリユニット４２の形状に対応した形状の凹部を有しており、その凹部にバッテリユニット４２が収容されるようになされている。バッテリユニット４２の形状は、本体２１の左右方向の幅より若干短い長さを長辺とした長方形またはそれに近い形の面を有し、ボトム４１の厚さ（高さ）より小さい厚さを有する扁平状の立体とされる。このように、バッテリユニット４２は、ボトム４１（本体２１）の長手方向と、バッテリユニット４２の長手方向とが平行になるように、ボトム４１に収容される。
【００２６】
バッテリユニット４２は、充放電可能なバッテリセルと、本体２１の底面の一部をなす外装部材とが一体として構成されており、ボトム４１の凹部に収容されることで、ボトム４１とともに本体２１の底面を構成する。
【００２７】
また、バッテリユニット４２は、その四隅をねじ部材としてのビス４３−１乃至４３−４によってボトム４１の凹部に固定されるとともに、左右方向に対して中央付近の４点をねじ部材としてのビス４４−１乃至４４−４によってボトム４１の凹部に固定されている。言い換えると、バッテリユニット４２は、ビス４３−１乃至４３−４およびビス４４−１乃至４４−４によって、本体２１の底面に固定されている。
【００２８】
なお、以下においては、ビス４３−１乃至４３−４をそれぞれ区別する必要がない場合、単にビス４３といい、ビス４４−１乃至４４−４をそれぞれ区別する必要がない場合、単にビス４４というものとする。
【００２９】
［ノート型パーソナルコンピュータの断面図］
ここで、図４を参照して、バッテリユニット４２がビス４３およびビス４４によって本体２１の底面に固定される構造について説明する。
【００３０】
図４は、バッテリユニット４２を固定するビス４３近傍におけるパーソナルコンピュータ１１の本体２１の正面断面図である。
【００３１】
図４に示されるように、パームレスト２５の内壁側の面には、ボトム４１に対してパームレスト２５を支持するためのパームレスト支持部５１が接合されている。パームレスト支持部５１には、ビス４３と螺合するための円筒部５１ａが設けられている。ビス４３と円筒部５１ａとが螺合するためには、円筒部５１ａの内側にインサートナットが設けられるようにしてもよいし、ビス４３にセルフタップねじの機能を有するようにしてもよい。また、ボトム４１およびバッテリユニット４２にはそれぞれ、円筒部５１ａに対応する位置に、ビス４３を挿通させるための貫通孔が設けられている。
【００３２】
すなわち、ビス４３は、本体２１の底面側から、バッテリユニット４２およびボトム４１の貫通孔を挿通し、パームレスト支持部５１の円筒部５１ａと螺合することで、パームレスト支持部５１、ボトム４１、およびバッテリユニット４２を共締めする。なお、図４においては、パームレスト支持部５１は、パームレスト２５と別の部品として構成されているが、１つの部品として構成されていてもよい。この場合、ビス４３は、パームレスト２５、ボトム４１、およびバッテリユニット４２を共締めする。
【００３３】
なお、以上においては、ビス４３がバッテリユニット４２を固定する構造について説明したが、ビス４４についても同様の構造となる。
【００３４】
一般的に電子機器の筐体より高い剛性を有するバッテリセルと外装部材とが一体として構成されてなるバッテリユニット４２は、本体２１のパームレスト２５やボトム４１と比較して、その剛性は高い。したがって、以上のような構造により、パームレスト２５（パームレスト支持部５１）、ボトム４１、およびバッテリユニット４２がビス４３によって共締めされることで、パーソナルコンピュータ１１の本体２１の剛性を高めることができるようになる。
【００３５】
例えば、薄型化が図られた従来のノート型パーソナルコンピュータにおいては、ボトムの一部にバッテリセルを装着するための凹部と、その凹部を覆う蓋が設けられ、その蓋を開閉することで、バッテリセルを着脱するようになされている。このような構造においては、ボトムに設けられた凹部および蓋で構成される、バッテリセルを収納するための空間と、バッテリセルとの間に、少なからず間隙を生じてしまう。このようなノート型パーソナルコンピュータの本体の左右方向（長手方向）の一端に加わる外力に対する剛性は、その間隙の存在によって、バッテリセルの剛性はほとんど考慮されず、パームレストおよびボトムの剛性と略同等のものとなる。したがって、このようなノート型パーソナルコンピュータの本体の左右方向の一端をユーザが把持して持ち上げた場合、その本体にたわみが発生し、ユーザに、ノート型パーソナルコンピュータの取り扱いに対する不安を与えてしまう恐れがあった。
【００３６】
そこで、図３で示したように、バッテリユニット４２を、本体２１の左右方向（長手方向）と、バッテリユニット４２の左右方向（長手方向）とが平行となるように、ボトム４１に収容し、パームレスト２５、ボトム４１、およびバッテリユニット４２がビス４３およびビス４４によって共締めされる構造とすることで、パーソナルコンピュータ１１の本体２１の左右方向（長手方向）の一端に加わる外力に対する剛性は、バッテリユニット４２の剛性と略同等のものとなる。これにより、パーソナルコンピュータ１１の本体２１の左右方向の一端をユーザが把持して持ち上げた場合でも、その本体に発生するたわみを抑えることができ、ユーザに、パーソナルコンピュータ１１の取り扱いに対する不安を与えることを避けることができるようになる。
【００３７】
図３の説明に戻り、ボトム４１においてバッテリユニット４２を収容する凹部が設けられていない側（矢印Ｄ方向側）の隅部には、パーソナルコンピュータ１１を机などの設置面に置いたときのパーソナルコンピュータ１１の安定性を確保するための弾性部材であるゴム足４５−１，４５−２が、本体２１の底面に対して突出するように設けられている。
【００３８】
また、上述したビス４３−１乃至４３−４は、その頭部がエラストマ（ゴム）などの弾性部材で構成されており、その頭部の少なくとも一部が本体２１の底面から突出するようにして、バッテリユニット４２を本体２１の底面に固定している。すなわち、ビス４３−１乃至４３−４は、ゴム足４５−１，４５−２と同様の機能を有する。
【００３９】
このように、ビス４３−１乃至４３−４の頭部を弾性部材で構成されるようにすることで、ビスとゴム足とを別個に配設する構成と比較した場合、部品点数を削減することができる。これにより、パーソナルコンピュータ１１の本体２１の底面における部品の配置のデザインをシンプルにすることができるとともに、パーソナルコンピュータ１１の製造工数や部品コストを抑えることができる。
【００４０】
また、バッテリユニット４２を固定するためのビスを覆うように、バッテリユニット４２の貫通孔にゴム足を装着するような構成と比較した場合でも、部品点数を削減することができる。この場合、本体２１の底面における部品の配置のデザインについては同様であっても、パーソナルコンピュータ１１の製造工数や部品コストを抑えることができる。
【００４１】
［ビスの構成］
ここで、図５および図６を参照して、ビス４３の詳細な構成について説明する。図５は、ビス４３の斜視図であり、図６は、ビス４３の回転軸を含む面で切断したときのビス４３の断面図である。
【００４２】
ビス４３は、軸部６１および頭部６２から構成される。
【００４３】
軸部６１は、金属部材で構成されており、円筒部分の側面には、ビス４３がいわゆる雄ねじとして機能するための螺旋状の溝が設けられている。この螺旋状の溝は、上述したようにビス４３がセルフタップねじとして機能するように設けられてもよい。なお、軸部６１は、それ単体で、軸部と頭部を備えるビスとして機能することもできる。
【００４４】
頭部６２は、上述したように、エラストマ（ゴム）などの弾性部材で構成されており、金属部材で構成される軸部６１の頭部を弾性部材に一体化させて成形されている。また、頭部６２において、パーソナルコンピュータ１１の本体２１にビス４３を挿通させたときに本体２１の底面と平行になる面（すなわち、パーソナルコンピュータ１１が設置面に置かれたときの、その設置面に当接する面）上には、切り欠き６２ａが設けられている。切り欠き６２ａは、頭部６２において、ビス４３の回転軸を通るように設けられている。切り欠き６２ａの幅は、およそ硬貨１枚分程度とされ、切り欠き６２ａの溝としての底面は、溝の長さ方向に対して、溝の両端から中心に向かって下に凸となる緩やかな曲線（弧）を描くように成形されている。
【００４５】
また、切り欠き６２ａの底面中央部、すなわち、切り欠き６２ａの底面とビス４３の回転軸との交点部分には、凹座６２ｂが設けられている。
【００４６】
パーソナルコンピュータ１１の製造過程において、本体２１の底面にビス４３を挿通させるときには、頭部６２の切り欠き６２ａおよび凹座６２ｂに係合するような先端部を有する専用の電動ドライバが用いられる。すなわち、この電動ドライバの先端の形状は、およそ硬貨１枚分程度の厚さで、切り欠き６２ａの溝に対応する弧を描くようになされ、その最も先端部分（すなわち、電動ドライバの軸の回転中心となる部分）には、凹座６２ｂに対応する突起が設けられている。この突起と凹座６２ｂとが係合することで、電動ドライバの軸の回転中心と、ビス４３の回転軸とが同一直線上になり、ビス４３を正確に挿通させることができる。
【００４７】
なお、図示はしないが、ビス４４は、その頭部が軸部と同様の金属部材で構成されている点と、共締めの結果、その頭部が本体２１の底面から突出しない点で、ビス４３とは構造が異なるが、その頭部には、ビス４３と同様の切り欠きおよび凹座が設けられている。
【００４８】
このように、ビス４３（およびビス４４）の頭部６２の切り欠き６２ａの幅は、およそ硬貨１枚分程度とされているので、例えば、バッテリセルの劣化等によりバッテリユニット４２を交換する必要がある場合に、ユーザは、上述したような専用の電動ドライバを用意しなくても、硬貨１枚、またはそれに類するものを用いて、簡単にビス４３（またはビス４４）を緩めることができるようになる。
【００４９】
以上においては、本技術をノート型パーソナルコンピュータに適用した場合について説明したが、表示部を有しない操作端末や、表示部と操作部とが一体で構成されるタブレット型端末等、その他の薄型の電子機器に適用することができる。
【００５０】
なお、本技術の実施の形態は、上述した実施の形態に限定されるものではなく、本技術
の要旨を逸脱しない範囲において種々の変更が可能である。
【符号の説明】
【００５１】
１１  パーソナルコンピュータ，  ２１  本体，  ２５  パームレスト，  ４１  ボトム，  ４３−１乃至４３−４，４３  ビス，  ４４−１乃至４４−４，４４  ビス，  ５１  パームレスト支持部，  ５１ａ  円筒部，  ６１  軸部，  ６２  頭部，  ６２ａ  切り欠き，  ６２ｂ  凹座
【図１】
2012160523.tif 000003
【図２】
2012160523.tif 000004
【図３】
2012160523.tif 000005
【図４】
2012160523.tif 000006
【図５】
2012160523.tif 000007
【図６】
2012160523.tif 000008